(57)【要約】【課題】費用の低減化を可能にし、設計及び工事上の制約をなくし、フレキシブル性の向上を図る。【解決手段】本発明は、院内情報通信網に接続された固定通信設備４と、固定通信設備４と無線通信可能な複数の患者端末Ｍ１〜Ｍ４とを備えた患者呼出システム１であって、固定通信設備４は、患者端末Ｍ１〜Ｍ４毎に割り当てられたＩＤ情報を患者端末Ｍ１〜Ｍ４に送信する送信手段を備え、患者端末Ｍ１〜Ｍ４は、固定通信設備４又は他の患者端末Ｍ１〜Ｍ４から受信したＩＤ情報を受信するＩＤ情報受信手段５と、ＩＤ情報受信手段５が受信したＩＤ情報がその患者端末のＩＤ情報と一致した場合に報知動作する報知手段６と、ＩＤ情報受信手段５が受信したＩＤ情報がその患者端末のＩＤ情報と一致しなかった場合に前記ＩＤ情報を他の患者端末に転送するＩＤ情報転送手段７とを備えていることを特徴とする。【選択図】図１
2008146274.tif 000002
【特許請求の範囲】
【請求項１】
院内情報通信網に接続された固定通信設備と、該固定通信設備と無線通信可能な複数の患者端末とを備えた患者呼出システムであって、
前記固定通信設備は、前記患者端末毎に割り当てられたＩＤ情報を該患者端末に送信する送信手段を備え、
前記患者端末は、前記固定通信設備又は他の患者端末から受信したＩＤ情報を受信するＩＤ情報受信手段と、該ＩＤ情報受信手段が受信したＩＤ情報がその患者端末のＩＤ情報と一致した場合に報知動作する報知手段と、前記ＩＤ情報受信手段が受信したＩＤ情報がその患者端末のＩＤ情報と一致しなかった場合に前記ＩＤ情報を他の患者端末に転送するＩＤ情報転送手段とを備えていることを特徴とする患者呼出システム。
【請求項２】
前記患者端末は、前記ＩＤ情報受信手段が受信したＩＤ情報がその患者端末のＩＤ情報と一致した場合にその旨の通知及び該患者端末のＩＤ情報を着信情報として返送し、該着信情報の返送後に送信動作を停止可能な着信情報返送手段をさらに備えており、該着信情報返送手段が返送した着信情報は前記固定通信設備又は前記患者端末のＩＤ情報受信手段が受信し、前記患者端末のＩＤ情報受信手段が前記着信情報を受信した場合には前記ＩＤ情報転送手段が該着信情報を他の患者端末に転送する請求項１に記載の患者呼出システム。
【請求項３】
前記ＩＤ情報転送手段は、前記固定通信設備又は他の患者端末から受信したＩＤ情報がそれより以前に受信したＩＤ情報と同一の場合には該ＩＤ情報を転送しない請求項１又は２に記載の患者呼出システム。
【請求項４】
前記ＩＤ情報転送手段は、キャリアセンスを行い、送信不能の状態が所定時間継続した場合には、前記ＩＤ情報を転送しない請求項１〜３のいずれか１の請求項に記載の患者呼出システム。
【請求項５】
前記ＩＤ情報転送手段が、キャリアセンスを行い、送信不能の状態が所定時間継続し、前記ＩＤ情報を転送しない間は、前記情報受信手段が前記ＩＤ情報を受信しない請求項４に記載の患者呼出システム。
【発明の詳細な説明】
【技術分野】
【０００１】
本発明は、病院において診察・検査や調剤・会計精算等の順番待ちをしている患者を呼び出すための患者呼出システムに関する。
【背景技術】
【０００２】
従来、病院において診察や調剤等の順番待ちをしている患者を、ＰＨＳの電波や無線ＬＡＮを利用して呼び出す患者呼出システムが知られている。
【０００３】
この種の従来のシステムでは、例えば、図５に示されているように、待合場所で診察の順番待ちをしている患者が保持する患者端末Ｍ１，Ｍ２，Ｍ３が通信領域（図中の破線）に入るように、待合室の天井裏などにアクセスポイントＡＰ１、ＡＰ２（若しくは送信機）が固定設置されており、各アクセスポイントＡＰ１、ＡＰ２（若しくは送信機）は院内情報通信網に有線によって接続されている（例えば、特許文献１参照）。
【特許文献１】特開平７−２０４７１２号公報
【発明の開示】
【発明が解決しようとする課題】
【０００４】
しかしながら、上記した従来の患者呼出システムでは、アクセスポイントＡＰ１、ＡＰ２等の固定設備をその電源線や通信線と共に天井裏等に設置する必要があるため、設置工事に手間が掛かり、工事費用の低減化が図り難いといった問題があった。また、アクセスポイントＡＰ１、ＡＰ２等の固定設備の開発、製造が必要となり、機器やシステムのコストが嵩むといった問題もあった。
【０００５】
さらに、病院の増築やレイアウトを変更する場合には、天井を解体、復旧する等の内装工事が必要となり、時間や費用等、多方面において設計や工事が制約を受けるといった問題もあった。
【０００６】
さらにまた、アクセスポイントＡＰ１、ＡＰ２等の固定設備の設置位置によって通信領域が固定されてしまうため、当初想定した場所以外で待っている患者と通信することができず、フレキシブル性に欠けるといった問題もあった。
【０００７】
本発明は、上記した課題を解決すべくなされたものであり、費用の低減化を可能にし、設計及び工事上の制約をなくし、フレキシブル性の向上を図ることのできる患者呼出システムを提供することを目的とするものである。
【課題を解決するための手段】
【０００８】
上記した目的を達成するため、本発明は、院内情報通信網に接続された固定通信設備と、該固定通信設備と無線通信可能な複数の患者端末とを備えた患者呼出システムであって、前記固定通信設備は、前記患者端末毎に割り当てられたＩＤ情報を該患者端末に送信する送信手段を備え、前記患者端末は、前記固定通信設備又は他の患者端末から受信したＩＤ情報を受信するＩＤ情報受信手段と、該ＩＤ情報受信手段が受信したＩＤ情報がその患者端末のＩＤ情報と一致した場合に報知動作する報知手段と、前記ＩＤ情報受信手段が受信したＩＤ情報がその患者端末のＩＤ情報と一致しなかった場合に前記ＩＤ情報を他の患者端末に転送するＩＤ情報転送手段とを備えていることを特徴とする。
【０００９】
そして、前記患者端末は、前記ＩＤ情報受信手段が受信したＩＤ情報がその患者端末のＩＤ情報と一致した場合にその旨の通知及び該患者端末のＩＤ情報を着信情報として返送し、該着信情報の返送後に送信動作を停止可能な着信情報返送手段をさらに備えており、該着信情報返送手段が返送した着信情報は前記固定通信設備又は前記患者端末のＩＤ情報受信手段が受信し、前記患者端末のＩＤ情報受信手段が前記着信情報を受信した場合には前記ＩＤ情報転送手段が該着信情報を他の患者端末に転送してもよい。
【００１０】
また、前記ＩＤ情報転送手段は、前記固定通信設備又は他の患者端末から受信したＩＤ情報がそれより以前に受信したＩＤ情報と同一の場合には該ＩＤ情報を転送しなくてもよい。
【００１１】
さらに、前記ＩＤ情報転送手段は、キャリアセンスを行い、送信不能の状態が所定時間継続した場合には、前記ＩＤ情報を転送しなくてもよい。
【００１２】
さらにまた、前記ＩＤ情報転送手段が、キャリアセンスを行い、送信不能の状態が所定時間継続し、前記ＩＤ情報を転送しない間は、前記情報受信手段が前記ＩＤ情報を受信しなくてもよい。
【発明の効果】
【００１３】
本発明によれば、設置費用の低減化を可能にし、設計及び工事上の制約をなくし、フレキシブル性の向上を図ることができる。
【発明を実施するための最良の形態】
【００１４】
以下、図面を参照しつつ、本発明の実施の形態について説明する。ここで、図１は本発明の実施の形態に係る患者呼出システムの全体構成を示すブロック図、図２は同患者呼出システムにおける患者端末の構成を示すブロック図である。なお、以下の説明では、患者が病院の待合場所で診察の順番待ちをしている場合について例示して説明する。
【００１５】
図１に示されているように、本発明の実施の形態に係る患者呼出システム１は、病院内の各種情報を総合的に管理する院内サーバ２と、この院内サーバ２と院内情報通信網を介して接続され、各診療科窓口に設置される各科窓口ＰＣ３と、各科窓口ＰＣ３にＵＳＢ接続され、待合室の天井裏等に設置されるアクセスポイント（ＡＰ）４と、このアクセスポイント（ＡＰ）４と無線通信可能な複数（図１では４台）の患者端末Ｍ１，Ｍ２，Ｍ３，Ｍ４とを備えて構成されている。なお、本出願において、固定通信設備には、院内サーバ２と各科窓口ＰＣ３とアクセスポイント（ＡＰ）４が含まれるものとする。
【００１６】
図２に示されているように、患者端末Ｍ１，Ｍ２，Ｍ３，Ｍ４は、各患者端末Ｍ１，Ｍ２，Ｍ３，Ｍ４毎に割り当てられたＩＤ情報を院内サーバ２から各科窓口ＰＣ３を介して受信するＩＤ情報受信部５と、ＩＤ情報受信部５が受信したＩＤ情報がその患者端末のＩＤ情報と一致した場合に報知動作する報知部６と、ＩＤ情報受信部５が受信したＩＤ情報がその患者端末のＩＤ情報と一致しなかった場合に前記ＩＤ情報を他の患者端末に転送するＩＤ情報転送部７と、ＩＤ情報受信部５が受信したＩＤ情報がその患者端末のＩＤ情報と一致した場合にその旨の通知及び該患者端末のＩＤ情報を着信情報として返送する着信情報返送部８とを備えて構成されている。
【００１７】
次に、主に図３及び図４を参照しつつ、本発明の実施の形態に係る患者呼出システム１の作用について説明する。ここで、図３は本発明の実施の形態に係る患者呼出システムの作用を示すフローチャート、図４は同患者呼出システムの作用を示す平面図である。
【００１８】
病院の総合受付で受付手続きを行った時に渡された患者端末Ｍ１，Ｍ２，Ｍ３，Ｍ４を保持した患者が診療科の待合場所Ｓにおいて呼び出しを待っている状態において、院内サーバ２から各科窓口ＰＣ３を介してアクセスポイント（ＡＰ）４に、先に受付手続きを完了した患者順に、患者端末のＩＤ情報が送信されると、アクセスポイント（ＡＰ）４の通信領域Ｒ内に居る患者端末Ｍ１に対して前記ＩＤ情報が無線通信により送信される（Ｓ１０１）。
【００１９】
患者端末Ｍ１では、ＩＤ情報受信部５により前記ＩＤ情報が受信され（Ｓ１０２）、該ＩＤ情報が患者端末Ｍ１のＩＤ情報に一致するかどうかが判断される（Ｓ１０３）。その結果、一致するとみなされた場合には患者端末Ｍ１の報知部６において報知動作が行なわれ（Ｓ１０４）、この患者端末Ｍ１を保持する患者によって診療の順番であることが認識される。そして、この時、患者端末Ｍ１の確認釦（図示省略）が患者によって押圧されると、患者端末Ｍ１の着信情報返送部８によって、ＩＤ情報受信部５により受信されたＩＤ情報が自分のＩＤ情報と一致した旨の通知及び該自分のＩＤ情報が着信情報としてアクセスポイント（ＡＰ）４に返送され（Ｓ１０５）、該着信情報の返送後に患者端末Ｍ１における送信動作は停止される。なお、この時、患者によって確認釦が押圧された後に、何らかのメッセージを送信したい場合を考慮して、送信動作を停止しないようにしてもよい。次いで、この着信情報返送部８によってアクセスポイント（ＡＰ）４に返送された着信情報は、各科窓口ＰＣ３を介して院内サーバ２に送信され、患者の呼び出しが無事行われたことが確認される。
【００２０】
一方、前記ステップ１０３において患者端末Ｍ１のＩＤ情報受信部５により受信されたＩＤ情報がその患者端末Ｍ１のＩＤ情報に一致しないとみなされた場合には、この患者端末Ｍ１のＩＤ情報転送部７によって、該患者端末Ｍ１の通信領域ＰＭ１にある患者端末Ｍ２に前記ＩＤ情報が無線通信により転送される（Ｓ１０６）。
【００２１】
そして患者端末Ｍ２においては、ＩＤ情報受信部５により前記ＩＤ情報が受信され、上記した患者端末Ｍ１の動作と同様に、該ＩＤ情報が患者端末Ｍ２のＩＤ情報と一致するかどうかが判断される（Ｓ１０７）。その結果、一致するとみなされた場合には患者端末Ｍ２の報知部６において報知動作が行なわれ（Ｓ１０８）、この患者端末Ｍ２を保持する患者によって診療の順番であることが認識されると共に、患者端末Ｍ２の着信情報返送部８によって、ＩＤ情報受信部５により受信されたＩＤ情報が自分のＩＤ情報と一致した旨の通知及び自分のＩＤ情報が着信情報として患者端末Ｍ１に返送され（Ｓ１０９）、さらに患者端末Ｍ１の着信情報返送部８によってこの着信情報がアクセスポイント（ＡＰ）４に返送され、該着信情報の返送後に患者端末Ｍ２における送信動作は停止される。そして、この着信情報返送部８によってアクセスポイント（ＡＰ）４に返送された着信情報は、各科窓口ＰＣ３を介して院内サーバ２に送信され、患者の呼び出しが無事行われたことが確認される。
【００２２】
以降、同様の手順で、前記ＩＤ情報は該当する患者端末Ｍ３，Ｍ４のＩＤ情報部５によってそれぞれ受信され、受付を完了した患者が保持するすべての患者端末の着信情報返送部８によって前記着信情報が院内サーバ２に送信される迄、上記呼び出し動作が繰り返し行なわれる。
【００２３】
このように上記した実施の形態に係る患者呼出システム１によれば、アクセスポイント（ＡＰ）４等の固定設備やその電源線や通信線を天井裏等に設置する工事が最小限で済むため、機器や配線の設置工事が簡素化され、工事費用の低減化や機器購入費用の低減化を図ることができる。
【００２４】
さらに、病院の増築やレイアウトを変更する場合でも天井等の内装を解体、復旧する範囲を最小限に抑制することができるため、既存病院へのシステム導入を容易且つ円滑に行うことができるようになる。
【００２５】
さらにまた、患者の移動に伴い通信領域が拡大するようになっているため、フレキシブル性を高めることができると共に通信の途絶を防止することができ、信頼性の高いシステムを提供することができるようになる。
【００２６】
なお、診療室や各科受付の近傍は呼び出し前の患者が集中し、患者端末の密度が高くなる結果、過密な通信環境となり、通信状況の悪化を招くおそれがある。そこで、このような状況を回避するため、例えば、患者端末のＩＤ情報転送部７が受信したＩＤ情報がそれより以前に受信したＩＤ情報と同一の場合には該ＩＤ情報を転送しない機能を選択できるように構成したり、また、ＩＤ情報転送部７がキャリアセンスを行い、送信不能の状態が所定時間（例えば、１０秒間）継続した場合には、前記ＩＤ情報を転送しないように構成したり、さらに、ＩＤ情報転送部７が、キャリアセンスを行い、送信不能の状態が所定時間継続し、前記ＩＤ情報を転送しない間は、ＩＤ情報受信部５が前記ＩＤ情報を受信しないように構成したり、さらにまた、予め患者端末の出力を１ｍＷ程度に低く設定したりしてもよい。
【００２７】
また、上記した実施の形態において、一時的に通信領域から外れた場所に呼び出しを待っている患者が存在する場合を想定して、所定時間（例えば、１５分間）毎に上記呼び出し動作を行なうように構成してもよい。さらに、患者が少ない状況等においても通信領域を広く確保するため、予備的にアクセスポイント（ＡＰ）を増設しておいたり、或いは、各科受付から離れた場所等、患者端末の密度が低くなると想定される場所の壁等に患者端末を予め固定設置したりして、通信の途絶を防止してもよい。
【００２８】
さらに、上記した実施の形態では、患者が病院の待合場所で診察の順番待ちをしている場合について説明したが、これは単なる例示に過ぎず、本発明は、患者が会計や調剤の順番待ちをしている場合等、他の場合にも使用可能であることは言う迄もない。
【図面の簡単な説明】
【００２９】
【図１】本発明の実施の形態に係る患者呼出システムの全体構成を示すブロック図である。
【図２】本発明の実施の形態に係る患者呼出システムにおける患者端末の構成を示すブロック図である。
【図３】本発明の実施の形態に係る患者呼出システムの作用を示すフローチャートである。
【図４】本発明の実施の形態に係る患者呼出システムの作用を示す平面図である。
【図５】従来例を示す平面図である。
【符号の説明】
【００３０】
１          患者呼出システム
２          院内サーバ
３          各科窓口ＰＣ
４          アクセスポイント（ＡＰ）
５          ＩＤ情報受信部
６          報知部
７          ＩＤ情報転送部
８          着信情報返送部
Ｍ１〜Ｍ４  患者端末
【図１】
2008146274.tif 000003
【図２】
2008146274.tif 000004
【図３】
2008146274.tif 000005
【図４】
2008146274.tif 000006
【図５】
2008146274.tif 000007